Podtech/llm-jp-corpus-v4-ja_patent huggingface dataset:
(57)【要約】【課題】アカスリタオルと両手手動型マッサージ機能を一体化したものを提供する。【解決手段】伸縮性アカスリタオル（５）の両端に魚の形のスポンジ（１）を設け、魚の形のスポンジ（１）の左右片面にシリコン剤（２）を流し込みその上にプラスチックの受容器（３）を装着し、その中にチタンボール（４）をはめ込むことを特徴とする。【選択図】図２
0003116403.tif 000002
【実用新案登録請求の範囲】
【請求項１】
アカスリタオルと両端に、スポンジを装着させることにより、全身を洗浄可能にした事を特徴とする浴用洗浄具。
【請求項２】
アカスリタオルを伸縮性のものとすることを特徴とする浴用洗浄具。
【請求項３】
スポンジの片面にマッサージ機能とし、シリコン剤を流し込み、その上にプラスチックの受容器を装着し、その中に回転ボールを入れることを特徴とする浴用洗浄具。
【請求項４】
回転ボールにチタンを有している事を特徴とする浴用洗浄具。
【請求項５】
スポンジの片面をスポンジにし、もう片面をプラスチックで作った回転ボールを入れるための受容器をシリコン剤で、溶着させその中の一部を表出させた回転ボールを埋め込んだとする、各面を異なることを特徴とする浴用洗浄具。
【考案の詳細な説明】
【技術分野】
【０００１】
本考案は、浴用アカスリタオルの両端にスポンジを装着させ、両片面に回転ボールを装着させた浴用リンパマッサージ付き全身タオル全身浴用洗浄具に関するものである。
【背景技術】
【０００２】
従来はアカスリタオルとマッサージ付スポンジが別々で便利さ経済面でかけていた。
両手でリンパマッサージできるものがなかった。
【考案の開示】
【考案が解決しようとする課題】
【０００３】
それには次のような問題点があった。
アカスリタオルと両手スポンジが別々であった。
マッサージ機能の物理的面がなかった。
両手で同時にお風呂の中でマッサージできるものがなかった。
全身リンパマッサージできるものがなかった。
【課題を解決するための手段】
【０００４】
アカスリタオル（５）の両端に魚の形のスポンジ（１）を設け、魚の形のスポンジ（１）の左右片面にシリコン剤（２）を流し込みその上にプラスチックの受容器（３）を装着し、その中にチタンボール（４）をはめ込む。
本考案は、以上の構成よりなる浴用リンパマッサージ付全身タオルである。
【考案の効果】
【０００５】
アカスリタオルとリンパマッサージ機能が一体化なったものだから、便利さ、経済面においてよい。
洗浄とリンパマッサージが一緒なので、年齢も幅広くつかえる。
両手でリンパマッサージができるので効果増す。
両手で使用ができ、お風呂の中での使用なので  足、お腹、首筋、顔などのリンパマッサージにより、引き締め効果、新陳代謝を促進させる。
チタンボールを使用することにより、体のイオンバランスを整え、疲労回復効果が期待できる。
【考案を実施するための最良の形態】
【０００６】
以下の、本考案の実施の形態について説明する。
アカスリタオル（５）を伸縮性のものにする。
お魚の形のスポンジ（１）に片面にシリコン剤（２）を流し込み、同時にプラスチックの受容器（３）を溶着させ、プラスチックの受容器（３）の中にチタンのボール（４）をいれる。
アカスリタオル（５）にお魚の形のスポンジ（１）を装着させる  
本考案は、以上のような構成でこれを使用するときは、両手でスポンジを持って、マッサージ機能の付いて方で体に滑らすことでリンパマッサージができ、背中を洗うときは、伸縮性のアカスリタオルの方を使用する。
【図面の簡単な説明】
【０００７】
【図１】本考案の全体斜面図である。
【図２】本考案の斜面図片面一部である。
【図３】本考案のマッサージ機能拡大図である。
【符号の説明】
【０００８】
１  スポンジ
２  シリコン剤
３  プラスチック受容器
４  チタンボール
５  伸縮性アカスリタオル
【図１】
0003116403.tif 000003
【図２】
0003116403.tif 000004
【図３】
0003116403.tif 000005
【手続補正書】
【提出日】平成17年9月13日(2005.9.13)
【手続補正１】
【補正対象書類名】実用新案登録請求の範囲
【補正対象項目名】請求項２
【補正方法】変更
【補正の内容】
【請求項２】
伸縮性のものとすることを特徴とする請求項１記載の浴用洗浄具。
【手続補正２】
【補正対象書類名】実用新案登録請求の範囲
【補正対象項目名】請求項３
【補正方法】変更
【補正の内容】
【請求項３】
スポンジの片面をマッサージ機能とし、シリコン剤を流し込み、その上にプラスチックの受容器皿を装着し、その中にチタン製回転ボールを入れることを特徴とする請求項１記載の浴用洗浄具。
【手続補正３】
【補正対象書類名】実用新案登録請求の範囲
【補正対象項目名】請求項４
【補正方法】変更
【補正の内容】
【請求項４】
回転ボールをチタン製としたことを特徴とする請求項３記載の浴用洗浄具。
【手続補正４】
【補正対象書類名】実用新案登録請求の範囲
【補正対象項目名】請求項５
【補正方法】変更
【補正の内容】
【請求項５】
スポンジの片面にプラスチックで作ったチタン製回転ボールを入れるための受容器皿を溶着させ、その中にチタン製回転ボールを入れ、一部を表出させたことを特徴とする請求項１記載の浴用洗浄具。
【手続補正５】
【補正対象書類名】明細書
【補正対象項目名】０００１
【補正方法】変更
【補正の内容】
【０００１】  本考案は、浴用アカスリタオルの両端にスポンジを装着させ、両片面にプラスチックの受容器皿をはめこみその中にチタン製回転ボールを装着させた浴用リンパマッサージ付き全身タオル浴用洗浄具に関するものである。
【手続補正６】
【補正対象書類名】明細書
【補正対象項目名】０００４
【補正方法】変更
【補正の内容】
【０００４】  アカスリタオル（５）の両端に魚の形のスポンジ（１）を設け、魚の形のスポンジ（１）の左右片面にシリコン剤（２）を流し込みその上にプラスチックの受容器皿（３）を装着し、その中にチタン製回転ボール（４）をはめ込む。  本考案は、以上の構成よりなる浴用リンパマッサージ付全身タオルである。
【手続補正７】
【補正対象書類名】明細書
【補正対象項目名】０００６
【補正方法】変更
【補正の内容】
【０００６】  以下の、本考案の実施の形態について説明する。  アカスリタオル（５）を伸縮性のものにする。  お魚の形のスポンジ（１）に片面にシリコン剤（２）を流し込み、同時にプラスチックの受容器皿（３）を溶着させ、プラスチックの受容器皿（３）の中にチタン製のボール（４）をいれる。
【手続補正８】
【補正対象書類名】明細書
【補正対象項目名】０００８
【補正方法】変更
【補正の内容】
【０００８】１  スポンジ２  シリコン剤３  プラスチック受容器皿４  チタン製ボール５  伸縮性アカスリタオル
【手続補正９】
【補正対象書類名】図面
【補正対象項目名】図１
【補正方法】変更
【補正の内容】
【図１】
0003116403.tif 000006
【手続補正１０】
【補正対象書類名】図面
【補正対象項目名】図２
【補正方法】削除
【補正の内容】
(57)【要約】      （修正有）【解決手段】チン出し口の布地２の内側にマイナスイオン、遠赤外線放射材等シート状の布を巾３ｃｍ，長さ１２ｃｍに裁断し、それをミシン針で縫着します。これを着用することにより全く容易に，マイナスイオン，遠赤外線による温熱治療を行う。【効果】下着のトランクスにチン出し口の内側の布地２に，マイナスイオン，遠赤外線放射材等シート状の布を縫着することにより、チン周辺からマイナスイオン、遠赤外線の温熱効果により、細胞や血液が活性化され，前立腺周辺の毛細血管の血流も良くなり，血液もサラサラになりますので、男性の生活習慣病であります、前立腺肥大の予防，高血圧，糖尿病、体脂肪，肥満等に対しても有効となる。【選択図】図２
0003116406.tif 000002
【実用新案登録請求の範囲】
【請求項１】
下着トランクスのチン出し口の内側の布地２に，マイナスイン，遠赤外線放射材等シート状の布を縫着させることを特徴とするトランクス。
【考案の詳細な説明】
【技術分野】
【０００１】本発明はマイナスイオン，遠赤外線放射材等シート状の布を，トランクスのチン出し口の内側の布地２に縫着させる方法を工夫してものである。
〔背景技術〕【０００２】周知の如く，マイナスイオン，遠赤外線放射材は，マイナスイオン，遠赤外線の温熱効果によって、筋肉を暖めて，血行を良くし，血液をサラサラ、体脂肪を熱焼させ新陳代謝を促す効果のあることが広く知られている。
〔考案の開示〕
〔考案が解決しようとする課題〕【０００３】近年鉱物の粉末を布地に取り付ける方法もある。この技術をもって下着やポロシヤツが販売されている。しかしながらこの技術をもっているのは大手のアパレルメーカーなどです。しかし中小零細，個人企業にはなし得ない技術である。しかもマイナスイオン、遠赤外線を放射し、血行を良くし、血液をサラサラにする製品の要求が高まっている。のも事実である。
〔課題を解決するための手段〕【０００４】そこで，マイナスイオン，遠赤外線放射材等シート状の布を使用し，下着として局部だけを照射するものが考案されていなかったのです。
本発明の請求項１記載のマイナスイオン，遠赤外線放射等シート状の布を布地２の下着トランクスのチン出し口の内側に縫着する方法を考案。利用者に直接、マイナスイオン，遠赤外線の放射材等シート状の布を目に見えるのが特徴としている。
〔考案の効果〕【０００５】下着のトランクスに請求項１のチン出し口の内側の布地２に，マイナスイオン，遠赤外線放射材等シート状の布を縫着することにより、チン周辺からマイナスイオン、遠赤外線の温熱効果により、細胞や血液が活性化され，前立腺周辺の毛細血管の血流も良くなり，血液もサラサラになりますので、男性の生活習慣病であります、前立腺肥大の予防，高血圧，糖尿病、体脂肪，肥満等に対しても有効となる。
〔考案を実施するための最良の形態〕【０００６】チン出し口の布地２の内側にマイナスイオン，遠赤外線放射材等シート状の布を巾３ｃｍ，長さ１２ｃｍに裁断し、それを縫着することで固定する。
〔実施例〕【０００７】図１に示すように，チン出し口の布地２の内側にマイナスイオン、遠赤外線放射材等シート状の布を巾３ｃｍ，長さ１２ｃｍに裁断し、それをミシン針で縫着します。これを着用することにより全く容易に，マイナスイオン，遠赤外線による温熱治療が行えることとなるのである。
〔産業上の利用可能性〕【０００８】本発明は，マイナスイオン，遠赤外線放射材等シート状の布をトランクス，パンツ等の下着に縫着する方法で、男性の生活病（特に前立腺肥大）の予防改善に大いに役立つものである。
【図面の簡単な説明】
【０００９】〔図１〕本考案の下着トランクスの正面図
〔図２〕下着トランクスのチン出し口正面図
【符号の説明】
【００１０】１  装着具布地
２  チン出し口布地
３  マイナスイオン，遠赤外線放射布地
４  チン出し口の開閉部
５  伸縮材
【図１】
0003116406.tif 000003
【図２】
0003116406.tif 000004
(57)【要約】      （修正有）【課題】スーパーの買い物袋等を簡単に収納し、取り出すことが可能な収納容器の提供。【解決手段】上部が出し入れ口（Ｂ）となっている物筒状の収納容器（Ａ）の横面（Ｃ）に出し入れ口（Ｄ）と出し入れ口（Ｅ）というそれぞれ大きさと形状の違う出し入れ口として多数の穴を任意の配置で開ける。この際、横面（Ｃ）に開ける出し入れ口（Ｄ）及び出し入れ口（Ｅ）の大きさと形状はスーパーの買い物袋を軽く丸めた状態の直径（およそ１０センチ程度）より、狭くした部分をもたせて、買い物袋がこぼれでないようにする。スーパーの買い物袋は簡単に丸めて上部出し入れ口（Ｂ）から次々と詰め組んでいくと多数の買い物袋が収納できる。買い物袋を取り出すときには上部出し入れ口（Ｂ）及び横面の出し入れ口（Ｄ）（Ｅ）それぞれから収納された買い物袋が見えているため、色、大きさ等を任意に選んで指でつまんで引っ張り出すことができる。【選択図】図１
0003116402.tif 000002
【実用新案登録請求の範囲】
【請求項１】
上部に出し入れ口（Ｂ）を持つ筒状の容器（Ａ）の横面（Ｃ）に出し入れ口（Ｄ）と出し入れ口（Ｅ）というそれぞれ大きさと形状の違う出し入れ口を任意の数開けた新機構において、
（１）スーパーの買い物袋等を軽く丸めて上部出し入れ口（Ｂ）から詰め込むと手間をかけずに簡単に数多くの買い物袋が収納できる。
（２）横面（Ｃ）の出し入れ口（Ｄ）と（Ｅ）からは任意の買い物袋を指でつまんで簡単に引っ張り出すことができる。
以上の構成からなるスーパーの買い物袋等を収納する容器。
【考案の詳細な説明】
【技術分野】
【０００１】この発明は出し入れ口を多数持たせて収納と取り出しが簡単にできる構造にしたスーパーの買い物袋などの収納容器に関するものである。
【背景技術】
【０００２】従来、スーパーやコンビニエンスストアの買い物袋は家庭で再利用するために保管されることが多い。その収納方法は任意の袋や容器等に乱雑に詰め込むか、折りたたんで整理したうえで収納していた。専用の収納容器具もあるが、収納の際に手間がかからない方法と取り出す際に手軽に取り出せる方法のどちらか一方の利便性を追求したものがほとんどで、両方の利便性を兼ね備えているものはなかった。
【考案の開示】
【考案が解決しようとする課題】
【０００３】従来、スーパーなどの買い物袋を収納する場合、容器などに乱雑に詰め込んでいく方法では、すばやい収納が可能な反面、取り出す際には最後に入れた買い物袋から取り出すしかなかった。その場合、買い物袋の大きさや色等を選びたい時には何枚も取り出さなければならず非常に手間がかかっていた。また、取り出す際に任意の買い物袋を簡単に選ぶためには折りたたむ等整理整頓して収納する方法があるが、やはり大変な手間がかかっていた。本考案では上記二つの課題を同時に解決する方法を求めて研究進めた。
【課題を解決するための手段】
【０００４】課題を解決するために、収納容器に最も手軽に収納する方法を実験した。
その結果、容器上部の出し入れ口から次々と買い物袋を詰め込んでいく従来からある方法が最も簡単だとの結論に達した。そこでこの収納状態から買い物袋の色や大きさ等を任意に選んで取り出せる方法を求めて研究をすすめた。その結果、容器横面に出し入れ口として多数の穴を開けることによって任意の買い物袋が指でつまんで引っ張り出せることが判明した。
この際、横面の出し入れ口の大きさと形状を２種類以上にすれば、引っ張り出せる買い物袋の大きさ等が出し入れ口ごとに変えられることもわかった。
また、横面に開けた多数の出し入れ口から収納した買い物袋がこぼれ出す懸念があったが、出し入れ口の大きさ、形状と配置を工夫することで解決。買い物袋が収納されている状態を保つことに大きな問題はなかった。
【考案の効果】
【０００５】本考案を使用した場合、上部の出し入れ口から次々と詰め組んでいくだけでスーパーの買い物袋等を収納容器の容量いっぱいまで収納できる。
買い物袋を取り出すときには上部出し入れ口及び横面の出し入れ口それぞれから収納物が見えているため、色、大きさ等、任意の買い物袋を選び指でつまんで引っ張り出すことができる。その際出し入れ口の大きさ、形状で引っ張り出せる買い物袋の大きさが変わる。また、横面に多数の出し入れ口を配置することでデザインの幅が広がり美観的にも優れた収納容器となる。
【考案を実施するための最良の形態】
【０００６】以下、本考案の実施の形態について説明する。
上部が出し入れ口（Ｂ）となっている物筒状の収納容器（Ａ）の横面（Ｃ）に出し入れ口（Ｄ）と出し入れ口（Ｅ）というそれぞれ大きさと形状の違う出し入れ口として多数の穴を任意の間隔で開ける。
この際、横面（Ｃ）に開ける出し入れ口（Ｄ）及び出し入れ口（Ｅ）の大きさと形状はスーパーの買い物袋を軽く丸めた状態の直径（およそ１０センチ程度）より、狭くした部分をもたせて、買い物袋がこぼれでないようにする。
また、スーパーの買い物袋は大きさ、形状、材質にいくつかのバリエーションがあるため、出し入れ口（Ｄ）と出し入れ口（Ｅ）のように大きさと形状を変えておくことで引っ張り出す買い物袋が変えられる。例えば大きくて固めの買い物袋は（Ｅ）からといった選択が可能となる。
この出し入れ口の大きさ、形状を見目よく配置することによってデザイン的にもすぐれた収納容器となる。
【産業上の利用可能性】
【０００７】本考案はスーパーやコンビニエンスストアの買い物袋収納容器の非常に低コストでシンプルな新機構である。収納容器の色、形状、素材は任意のものでかまわない。出し入れ口の大きさと形状は本書類では（Ｂ）（Ｄ）（Ｅ）の３種類としているが、デザイン価値を高めるためにもっと多種の形状を取り入れても本考案の効果は変わらない。
また、収納容器全体の形状を壁掛け型やコーナー用等、置く方法や置き場所を工夫した形状にすると、デザインの幅も広がり、家具としての魅力が増す。
さらに、本考案はスーパーやコンビニエンスストアの買い物袋の収納に優れた効果を発揮するが、デザイン的に優れているため、目に付く場所に置く収納容器として横面の出し入れ口からこぼれ出ないものならなんでも入れておける。店舗では造花や商品のディスプレイなどにも使用できる。家庭では靴下等の衣類の収納なども可能である。
【図面の簡単な説明】
【０００８】
【図１】収納容器（Ａ）全体と上部出し入れ口（Ｂ）、本考案の新機構である横面に開けた出し入れ口（Ｄ）と出し入れ口（Ｅ）の位置の例を示した正面上方よりの斜視図である。
【符号の説明】
【０００９】（Ａ）は収納容器
（Ｂ）は上部出し入れ口
（Ｃ）は収納容器の横面
（Ｄ）は横面に開けた出し入れ口
（Ｅ）は横面に開けた出し入れ口
【図１】
0003116402.tif 000003
(57)【要約】      （修正有）【課題】カーボン製の外周縁と背面板を接合したナンバープレートフレームを提供する。【解決手段】カーボン製の外周縁（１）と背面板（２）の接合部分にアール（３）をつけたことを特徴とする。【選択図】図１
0003116410.tif 000002
【実用新案登録請求の範囲】
【請求項１】
（イ）カーボン製外周縁（１）とカーボン製背面版（２）の接合部分にアール（３）を付けたナンバープレートフレーム。
（ロ）カーボン製外周縁でナンバープレートの外周を覆うナンバープレートフレーム。
以上のごとく構成された車両用ナンバープレートフレーム。
【考案の詳細な説明】
【技術分野】
【０００１】本考案は、ナンバープレートの損傷を保護する為の車両用カーボンナンバープレートフレームに関するものである。
【背景技術】
【０００２】従来、ステンレス、アルミニューム、プラスティック製のナンバープレートフレームがあった。
【考案の開示】
【考案が解決しようとする課題】
【０００３】これらは次のような問題点があった。
（イ）ステンレス、アルミニューム製のナンバープレートフレームは衝撃を受けると元の形に復元しなかった。
（ロ）プラスティック製のナンバープレートフレームは衝撃を受けると破損してしまった。
本考案は、これらの欠点を除くためになされたものである。
【課題を解決するための手段】
【０００３】
【０００４】（イ）カーボン製外周縁（１）とカーボン製背面版（２）の接合部分にアール（３）を付けたナンバープレートフレーム。
（ロ）カーボン製フレームでナンバープレート外周を覆う。
【考案の効果】
【０００５】本考案のカーボンナンバープレートフレームは柔軟性と剛性があるためにナンバープレートを損傷から保護することができる。
【考案を実施するための最良の形態】
【０００６】以下、本考案の実施例について説明する。
（イ）ナンバープレートの外周をカーボンフレームで覆うようにつくる。
（ロ）外周縁（１）と背面版（２）の接合部分にアール（３）をつける。
【図面の簡単な説明】
【０００７】
【図１】本考案の斜視図である。
【図２】本考案の背面図である。
【符号の説明】
【０００８】１  外周縁
２  背面版
３  アール
【図１】
0003116410.tif 000003
【図２】
0003116410.tif 000004
(57)【要約】      （修正有）【課題】サッカーのトレーニング内容を記録する場合に技術的、時間的負担を軽減する。【解決手段】ノートに横罫１とともに、サッカーコート図２をあらかじめ印刷する。このことによりトレーニング内容の記述や戦術的考察の記述を容易にする。【選択図】図１
0003116408.tif 000002
【実用新案登録請求の範囲】
【請求項１】
サッカーのコート図を印刷した、練習内容の記録及び戦術考案作業を行うためのノート
【考案の詳細な説明】
【技術分野】
【０００１】本考案は、サッカーのトレーニング内容を記録し、戦術的考察を行うためのノートに関するものである。
【背景技術】
【０００２】サッカーのトレーニング内容を記録する場合、これまでは、通常の横罫ノートなどにフリーハンドでサッカーコート図を描いて記録していた。
【考案の開示】
【考案が解決しようとする課題】
【０００３】サッカーのトレーニング内容を記録する場合、自分でサッカーコート図を正確に描くことは技術的、時間的負担である。従って、あらかじめ印刷されているコート図がついているノートにトレーニング内容や戦術的考察を記載することは前述の欠点を解決しようとするものである。
【課題を解決するための手段】
【０００４】本考案は、ノートにあらかじめサッカーコート図を印刷することによって問題点を解決している。
【考案の効果】
【０００５】上述のように、あらかじめノートにサッコーコート図が印刷されている記録帳は、トレーニング内容を容易にコート図に記述でき、戦術的考察もコート図を使用することにより容易に記述できる。
【考案を実施するための最良の形態】
【０００６】通常の横罫と同時にサッカーコート図を印刷し、通常の横書き文章も書けるし、コート図を使ったトレーニング内容の記述や戦術考察も記述できる。
【実施例】
【０００７】以下、添付図面に従って一実施例を説明する。１は通常の横罫、２はサッカーコート図である。１と２が両方印刷されていることにより、通常の横書き文章も書けるし、サッカーコート図を使用して、トレーニング内容や戦術的考察を記述できる。
【図面の簡単な説明】
【０００８】
【図１】本考案の実施例を示すデザイン図である。
【符号の説明】
【０００９】１  通常の横罫
２  サッカーコート図
【図１】
0003116408.tif 000003
(57)【要約】      （修正有）【課題】凹凸や湾曲した形状に対して、縦、横、斜め、の動作で刷毛の部分を適正に押圧させるのを容易にした入歯ブラシの提供。【解決手段】握手柄の部分１から平行して突出した２本の弾力性を有する棒状の軸２・３に、人差指を当てて押圧する為の巾広部４・５を装置し、棒状の軸２・３の先端に刷毛の部分６・７を取り付けた本器具は、ブラッシングの際に刷毛の部分６・７が２個である故に個別に対応し、更に刷毛の部分６・７が合体して巾も有し、入歯の形状によっては人差指を当てる個所を、符号の４側又は５側、及び巾広部互いの接近個所８に人差指を当て替えて凹凸や湾曲に対して、縦、横、斜め、の動作で隅々まで適正に押圧させ対応することが出来る。又巾広部４・５は互いの接近個所を平行で狭い間隙とし、右利き、左利き、どちらにでも使い勝手を容易にした。【選択図】図２
0003116401.tif 000002
【実用新案登録請求の範囲】
【請求項１】
握手柄と、この握手柄から平行して突出した２本の弾力性を有する棒状の軸の先端に刷毛の部分を設け、更に各々の弾力性の軸に設けた刷毛の部分寄りの個所に、人差指にて押圧する為の巾広部を設け、而もその巾広部は互いの接近個所を平行で狭い間隙の形態とでなした入歯ブラシ。
【考案の詳細な説明】
【技術分野】
【０００１】
本考案は凹凸や湾曲した形状の入歯を手に持ってブラッシングする際、適正に刷毛の部分が入歯に接圧するように力を伝えるのを目的とした歯磨きに関する分野。
【背景技術】
【０００２】
実用新案登録第３００９０２９号に関するのものが存在する。これは握手柄から２本の平行した弾力性の有る棒状軸を突出したものである。然し弾力性が有るため撓みすぎて刷毛の部分に力が伝わらず入歯を適正に接圧してのブラッシングが出来なかった。
【特許文献１】実用新案登録第３００９０２９号
【考案の開示】
【考案が解決しようとする課題】
【０００３】
一般の一本タイプの歯ブラシや上記文献のものでは入歯を手に持ってブラッシングする際、凹凸や湾曲した形状に対して縦、横、斜め、の動作で刷毛の部分を適正に接圧させて対応するのが容易でなかった課題。
【課題を解決するための手段】
【０００４】
握手柄の部分１から平行して突出した２本の弾力性を有する棒状の軸２・３に、人差指を当てて押圧す為の巾広部４・５を装置し、棒状の軸２・３の先端に刷毛の部分６・７を取り付け、而も巾広部は互いの接近個所８を平行で狭い間隙の形態とした器具を考案した。
【考案の効果】
【０００５】
弾力性を有する棒状の軸２・３の先端に取り付けた刷毛の部分６・７が２個であるが故に、各々がブラッシングの際に個別に対応し、更に合体して巾も有し、又対物の形状によっては人差指を当てる個所を、符号の４側又は５側や巾広部４・５の互いの接近個所８に人差指を当て替えて、凹凸や湾曲した形状の入歯を、縦、横、斜め、の動作で隅々まで適正に接圧しての対応が出来る。尚符号の２・４・６側と３・５・７側は対称の形態としたことにより、右利き、左利き、どちらにでも使い勝手が良い。
【考案を実施するための最良の形態】
【０００６】
図１に示す如く、握手柄１から平行して突出した２本の弾力性を有する棒状の軸２・３の先端に刷毛の部分６・７を取り付ける。
而して、図２に示す如く、２本の弾力性を有する棒状の軸２・３に取り付けた刷毛の部分寄りの個所に、人差指にて押圧する為の巾広部４・５を、互いの接近個所８を平行で狭い間隙の形態で設ける。
更に、右利き、左利き、どちらにでも使い勝手が良いようにする為に対称の形態とする。
【産業上の利用可能性】
【０００７】
入歯を手に持ってブラッシングする為の歯ブラシ。又小物部品の洗浄にも利用が出来る。
【図面の簡単な説明】
【０００８】
【図１】正面図
【図２】人差指を駆使した使用状態を示す背面図
【図３】同上の側面図
【符号の説明】
【０００９】
１  握手柄
２・３  弾力性を有する棒状の軸
４・５  人差指にて押圧する為の巾広部
６・７  刷毛の部分
８  巾広部互いの接近個所
【図１】
0003116401.tif 000003
【図２】
0003116401.tif 000004
【図３】
0003116401.tif 000005
(57)【要約】【課題】簡便に高濃度酸素を投与することが可能となる酸素投与回路を供給する。【解決手段】酸素流入口１と酸素流出口２を作成した密閉型マスク３に、リザーババッグ４と、一定量の内容積をもつ管５を接続する。【選択図】図１
0003116412.tif 000002
【実用新案登録請求の範囲】
【請求項１】
酸素流入口１と酸素流出口２を作成した密閉型マスク３に、リザーババッグ４と、一定量の内容積をもつ管５を接続した酸素投与回路
【考案の詳細な説明】
【技術分野】
【０００１】  本考案は、医療現場において高濃度酸素投与を可能にする酸素投与回路に関する。
【背景技術】
【０００２】  従来のリザーババッグ付き酸素投与回路は、開放型マスクにリザーババッグを接続したものである。
【考案の開示】
【考案が解決しようとする課題】
【０００３】  従来のリザーババッグ付き酸素投与回路にあっては、開放型マスクと顔面との密着性が完全でないために、患者の吸気時にリザーババッグ中の酸素のみでなく、開放型マスクと顔面との間隙から空気も流入する結果、吸入気酸素濃度が低下するという問題点があった。
【課題を解決するための手段】
【０００４】  本考案の酸素投与回路においては、酸素流入口１と酸素流出口２を作成した密閉型マスク３に、リザーババッグ４と、一定量の内容積をもつ管５を接続した。
【考案の効果】
【０００５】  密閉型マスクを使用することにより、顔面との間隙からの空気流入を防止し、リザーババッグ４に貯留している酸素と一定量の内容積をもつ管５に満たされている酸素とを吸入させることにより、高濃度酸素を投与することが可能となる。
【考案を実施するための最良の形態】
【０００６】  考案の実施の形態を実施例にもとづき図面を参照して説明する。
図１において、密閉型マスク３に作成した酸素流入口１にリザーババッグ４を接続し、酸素流出口２に一定量の内容積をもつ管５を接続して大気に開放する。
【実施例】
【０００７】  本考案は以上のような構造からなり、次のように使用する。
酸素供給用チューブ６を通じて酸素を供給し、リザーババッグ４を酸素で満たし、密閉型マスク３を患者の顔面に密着させ、酸素を持続的に供給する。【０００８】  また、管５の内容積量を調節して一定量の空気を流入させることにより、吸入気酸素濃度を調節することもできる。
【図面の簡単な説明】
【０００７】
【図１】  本考案全体の立体図である。
【符号の説明】
【０００８】    １  酸素流入口
２  酸素流出口
３  密閉型マスク
４  リザーババッグ
５  一定量の内容積をもつ管
６  酸素供給用チューブ
【図１】
0003116412.tif 000003
(57)【要約】      （修正有）【課題】クリップを活用する時に、既にとじてある紙等を乱雑にすることなく、容易に次の紙等をとじる。特に壁面使用時に落下を防ぎホルダー機能を持たせる。【解決手段】クリップの片面に針状の硬材１を取り付け、相対面にその針のための小穴２を設ける。【選択図】図１
0003116417.tif 000002
【実用新案登録請求の範囲】
【請求項１】
クリップの片面に針状の硬材を取り付けると共に、相対面に針のための小穴を設けたホルダー型クリップ。
【考案の詳細な説明】
【技術分野】
【０００１】  本考案は、紙類をとじる木製クリップ、プラスチッククリップ、その他のクリップに関する。
【背景技術】
【０００２】  従来のクリップは、様々な色、形が生産、使用されているが、ただ単に紙等をはさむのみの機能である。
【考案の開示】
【考案が解決しようとする課題】
【０００３】  クリップを活用する時に、既にとじてある紙等を、乱雑にすることなく、容易に次の紙等をとじる。特に壁面使用時に落下を防ぐ。
【解決するための手段】
【０００４】  クリップの片面に針状の硬材を取り付け、相対面にその硬材のための小穴を設ける。
【考案の効果】
【０００５】  針状の硬材を取り付ける事により、紙等に簡単に穴が開き、落下を防ぎ乱雑にすることなく、次々と容易にとじることができる。
【考案を実施するための最良の形態】
【０００６】  以下、本考案の実施の形態を図面に基き説明する。【０００７】  図１は、本考案の外観図、図２は本考案の側面の断面図、図３は本考案の針と小穴部の詳細図である。【０００８】  クリップの片面に針（１）を取り付け、相対面に小穴（２）を設け壁面使用（冷蔵庫等）のために底面に磁石（３）をつける。
【図面の簡単な説明】
【０００９】
【図１】  本考案の外観図である。
【図２】  本考案の側面の断面図である。
【図３】  本考案の針と小穴部の詳細図である。
【符号の説明】
【００１０】  １            針
２            小穴
３            磁石
【図１】
0003116417.tif 000003
【図２】
0003116417.tif 000004
【図３】
0003116417.tif 000005
(57)【要約】【課題】簡単な構造でより積極的に短時間で下半身全体の関節の歪みをバランスよく矯正して、身体本来の状態に復して関節の痛みをとり、正常な下半身の形状を維持する治療器具を提供することである。【解決手段】両足の拇指から足首までを束帯し、伸縮性を有する弾性材で出来たベルトと接続具との引張作用で、下半身全体の歪んだ関節をバランスよく積極的に矯正して、足首から足先の上下運動効果で足腰の血行を良好にして、身体本来が持っている回復機能を高める。【選択図】      図１
0003116419.tif 000002
【実用新案登録請求の範囲】
【請求項１】
足指の第１中足指関節部全体を覆う事が出来る幅を持ち、両足拇指を束帯して両足底、足甲の周囲から足首にまわして阿足首を束帯出来る長さを有し、伸縮性がある弾性材で形成され、ベルトを通す幅を持つ筒状の貫通孔を有する平板状の筒体を交差させる接続具で、両足拇指と土踏まず部に引張力を作用させ、外反母趾、Ｏ脚、及び股関節矯正効果を有することを特徴とするベルト。
【考案の詳細な説明】
【技術分野】
【０００１】本考案は足、膝、腰の痛みの原因となる無理な姿勢での足腰の使いすぎや加齢に伴う内転筋の衰えが原因といわれる関節の変性による、外反母趾、Ｏ脚、股関節の矯正治療用具に関するものである。
【背景技術】
【０００２】外反母趾、Ｏ脚、股関節などの変性は、足、膝、腰など下半身全体の症状に悪影響を与えるが、従来の矯正具は下半身全体を同時に矯正することが出来ず、身体左右のバランスが取れた矯正が難しく時間がかかった。
【考案の開示】
【考案が解決しようとする課題】
【０００３】簡単な構造で両下肢を同時に矯正することで、外反母趾、Ｏ脚、股関節など下半身全体の変性した関節を、短時間で左右バランスが取れた状態に復して、身体を正常な形状に維持することである。
【課題を解決するための手段】
【０００４】外反母趾、Ｏ脚、股関節などの変性は内転筋と外転筋のバランスが失われる事から生じ、第１中骨の内反、足首と膝関節の変性、股関節の歪みなどが起きる。弾性材で形成するベルトと接続具の引張作用で、変性した両下肢全体の関節矯正と内転筋を左右バランスよく鍛えることである。
【考案の効果】
【０００５】股関節痛で歩行困難だった人が、足首ベルトを装着して股関節の矯正と内転筋を鍛える事で歩行が改善された。足首ベルトを装着して寝たら外反母趾、足首の変性、Ｏ脚が矯正され歩行が楽になった。  足首ベルトは弾性素材のベルトと接続具の引張作用及び内転筋を鍛える両足首の上下運動で血行が良好になる相乗効果で、下半身全体の関節の変性が短期間で矯正できる。
【考案を実施するための最良の形態】
【０００６】考案実施の形態について図面によって説明する。
図１は足首ベルト１であり、長さは１４５センチメートルから１５５センチメートルくらい、幅は３センチメートルから５センチメートルくらいで、同じ形状の２つの接続具ＣとＤを有し、両端に面ファスナーなどの接着面Ａ、Ｂを持つ。【０００７】図２は接続具であり、ベルト１が通る幅を持つ筒状の貫通孔を有する、平板状の筒体を交差させた形状で固着し、ベルト１を通す交差面ができる。【０００８】図３、図４は足首ベルト１を両足に装着した図であり、下駄を履くように接続具Ｄが土踏まずの下になるように両足をのせてから、接続具Ｃで交差するベルト１の中央にできる輪に両足拇指を挿入して束帯し、ベルト１の両端を足底から足の甲へまわし交差させてから、足首を束帯しベルト１両端の接着面Ａ、Ｂで固着する。
【実施例】
【０００９】足首ベルトを装着したまま仰向けに寝て、両足首の上下運動をすると変性した下半身全体の関節が矯正される。
【産業上の利用の可能性】
【００１０】高齢化社会に入り、歩行困難等のトラブルを抱える人が多くなると予想されるが、下半身の歪みが脊柱の変性、腰曲がり、歩行困難につながると言われている。若い頃から、自分で簡単に下半身の歪みを矯正することが出来ると、歩行困難に苦しむ老人を減らす事が出来る。特に女性に多い、外反母趾、膝痛、股関節痛などの原因となる、下半身全体の関節の変性が防げる。
【図面の簡単な説明】
【００１１】
【図１】考案の一実施例を示す全体図である。
【図２】接続具の斜視図である。
【図３】足首ベルトの使用状態図である。
【図４】図３の裏面図である。
【符号の説明】
【００１２】１  ベルト
Ａ  足首ベルト端の接着面
Ｂ  足首ベルト端の接着面
Ｃ  両足拇指上の接続具
Ｄ  土踏まず下の接続具
【図１】
0003116419.tif 000003
【図２】
0003116419.tif 000004
【図３】
0003116419.tif 000005
【図４】
0003116419.tif 000006
(57)【要約】      （修正有）【課題】湯槽に設けられた、背骨矯正具本体と腰迄の湯で、身体をあたため、身体の堅さをほぐし、血液循環を良くして、背骨などの矯正を無理なく行い、背骨等の歪みなどを矯正したりする為の腰風呂式健康具付き湯槽を提供する。【解決手段】湯槽本体１に座椅子受け部本体を設け、湯槽本体に背骨矯正具本体９を装着したことを特徴とする腰風呂式健康具付き湯槽である。【選択図】図４
0003116413.tif 000002
【実用新案登録請求の範囲】
【請求項１】
湯槽本体に湯槽出入り口と手当て溝を設け、湯槽本体の内底に簀子を設け、簀子の上部にスライド受部と平行バランス用凸部を備えた座椅子受け部本体を設け、湯槽本体の内底の角部に湯抜き栓を設け、簀子と湯槽本体の内底との間に炭入りマット袋と多孔質砕石入りマット袋を設け、背骨矯正具本体の前部に膝固定斜板を設け後部の背当ての位置に回転式背骨あて下マットを備えた下軸棒と斜段差を設けた回転式背骨あて上マットを備えた上軸棒を設け、背骨矯正具本体の底部に平行バランス受け凹部を備えたスライド固定板を設け、座椅子受け部本体に備えた平行バランス用凸部に、平行バランス受け凹部を備えたスライド固定板を介在させ、背骨矯正具本体を座椅子受け部本体に嵌入させ、湯槽本体に背骨矯正具本体を装着した腰風呂式健康具付き湯槽。
【考案の詳細な説明】
【技術分野】
【０００１】  この考案は、湯槽に設けられた、腰迄の湯に漬かりながら、身体をあたため、身体の血液循環を高めながら、座椅子の平行バランスの不安定による身体のバランス運動効果により身体の脇の筋肉運動効果を発揮し、背骨の矯正をも行い背骨の歪み等を正しくする為の腰風呂式健康具付き湯槽に関するものである。
【背景技術】
【０００２】  従来、身体の血液循環の悪い状態のまま、もしくは体全体が疲れた状況で、各種の道具で背骨矯正を行っていた。
【考案の開示】
【考案が解決しようとする課題】
【０００３】  その為に次のような問題点があった。  身体の堅いままで、急激に身体をほごそうとしたため、一時的には疲れや、背骨のばしを行った結果、歪んだ姿勢で長時間仕事をしていたときよりは、少し矯正されて身体が正された錯覚をする。その後に急激に無理に背骨を伸ばそうとするための健康具などを利用したときには、身体に張替えしの筋肉疲労を起こすこともあり、専門の整骨にかかってしまうなどの逆効果に繋がってしまいやすい結果の引き金になった。本考案は以上の問題点を解決する為になされたものである。
【課題を解決するための手段】
【０００４】  湯槽本体に設けた背骨矯正具本体に座って、腰迄入っている湯につかり、血液循環を良くし、湯につかりながら平行バランス運動効果の併用で身体の脇の筋肉効果も発揮し、湯槽本体に設けた背骨矯正具本体を用いた腰風呂式健康具付き湯槽である。
【考案の効果】
【０００５】  血行がよくなるように湯槽に下半身を湯に漬け、お湯にて血液循環がよくなり身体の堅さも柔らぎ、湯槽本体に設けた背骨矯正具本体にて背骨を柔軟に伸ばす事ができ又左右に身体をねじるなどの簡単なトレーニング効果で効果的に背骨を矯正でき、身体全体をお湯と矯正具との併用で効果的に正しい背骨形態とうを戻す事ができる。又座椅子受け部本体に設けた平行バランス用凸部と背骨矯正具本体に設けた平行バランス受け凹部とのアンバランスな組み合わせ効果で身体の脇の筋肉運動効果も発揮する
【考案を実施するための最良の形態】
【０００６】  以下本考案の実施の形態について説明する。（イ）湯槽本体（１）に湯槽出入り口（２）と手当て溝（３）（３）を設け、湯槽本体（１）の内底に簀子（４）を設け、簀子（４）の上部にスライド受部（６）と平行バランス用凸部（７）を備えた座椅子受け部本体（５）を設け、湯槽本体（１）の内底の角部に湯抜き栓（８）を設ける。（ロ）簀子（４）と湯槽本体（１）の内底との間に炭入りマット袋（１７）と多孔質砕石入りマット袋（１８）を設ける。（ハ）背骨矯正具本体（９）の前部に膝固定斜板（１４）を設け  後部の背当ての位置に回転式背骨あて下マット（１２）を備えた下軸棒（１０）と斜段差を設けた回転式背骨あて上マット（１３）を備えた上軸棒（１１）を設け、背骨矯正具本体（９）の底部に平行バランス受け凹部（１６）を備えたスライド固定板（１５）を設ける。（ニ）座椅子受け部本体（５）に備えた平行バランス用凸部（７）に、平行バランス受け凹部（１６）を備えたスライド固定板（１５）を介在させ、背骨矯正具本体（９）を座椅子受け部本体（５）に嵌入させ湯槽本体（１）に背骨矯正具本体（９）を装着する。  本考案は、以上の構造でこれを使用するときは、湯槽本体（１）に適温の風呂に入る状態のお湯を腰の高さ迄組み入れて、背骨矯正具本体（９）設けた膝固定斜板（１４）に足を組むように座ると座椅子受け部本体（５）に設けた平行バランス用凸部（７）と背骨矯正具本体（９）に設けた平行バランス受け凹部（１６）とのアンバランスな組み合わせ効果で身体の脇の筋肉運動効果も発揮し、回転式背骨あて下マット（１２）と膝固定斜板（１４）とに挟まれた背骨は背筋がまっすぐになり、注がれたお湯に身体の下半身から身体があたたまり、リラックスした身体は血液循環が高まり堅い身体がほぐされてきて、斜段差を設けた回転式背骨あて上マット（１３）は背筋に添うように設けてあり、背骨が容易に後方に曲げられように装着してあるため背骨の矯正が行なわれる。
【図面の簡単な説明】
【０００７】
【図１】本考案の斜視図
【図２】本考案の拡大斜視図
【図３】本考案の断面を示す斜視図
【図４】本考案の状態を示す斜視図
【符号の説明】
【０００８】  １  湯槽本体  ２  湯槽出入り口  ３  手当て溝  ４  簀子  ５  座椅子受け部本体  ６  スライド受部  ７  平行バランス用凸部  ８  湯抜き栓  ９  背骨矯正具本体１０  下軸棒１１  上軸棒１２  回転式背骨あて下マット１３  回転式背骨あて上マット１４  膝固定斜板１５  スライド固定板１６  平行バランス受け凹部１７  炭入りマット袋１８  多孔質砕石入りマット袋
【図１】
0003116413.tif 000003
【図２】
0003116413.tif 000004
【図３】
0003116413.tif 000005
【図４】
0003116413.tif 000006
(57)【要約】      （修正有）【解決手段】小袋本体１に接着部分２を設け貼付することで、薬を取り出す際両手が自由となり、安全、衛生的、確実に小袋本体に収納出来る。また、４の切り取り線を切除することで３が服用時の薬ルートとなり得ることで、子ども、老人というような年齢に関係なく誰でもが室内、屋外等の場所を問わず、衛生的且つ確実に服用出来ることに役立つ。【効果】シートから薬を衛生的に取り出すことが可能である事は勿論、接着部分を設けたことにより袋を身近な場所に容易に貼り付けられ、両手が自由となり場所を選ばず薬を衛生的に取りこぼすことなく、袋に収納することが可能となる。また、袋底部分傾斜角に切取線を設けることで薬の出口が確保されるだけでなく、切り取り口の形態が薬（錠剤やカプセル等）を口内に含ませ安く、年齢に関係なく錠剤やカプセルもスムーズに服用することが可能となる。また、携帯に便利であり特に外出先での薬の服用に役立つ。【選択図】図１
0003116415.tif 000002
【実用新案登録請求の範囲】
【請求項１】
小袋本体に接着面と傾斜角を設けることで、当該接着面をカップやボトル等身近な箇所に付着させるとともに、使用時に口部を開けるために内部を清潔に保ことが可能となり、両手が自由になることから、薬シートから錠剤やカプセル等を落下させることなく安全確実に収納出来るとともに、当該底辺部傾斜角に切取り線を設けることで薬を衛生的に服用可能となり、帯用にも便利な所を特徴とする貼付型簡易服用携帯袋。
【考案の詳細な説明】
【技術分野】
【０００１】  本考案は、小袋外部側面に接着部分と傾斜角を設けた袋に関するものである。
【背景技術】
【０００２】  薬を服用する際、シートから取り出すときに両手を使う必要があるため、錠剤やカプセルを受取るのに落下させたり別の容器を備えたりする不自由さがあり、また、せっかく取り出しても子どもや高齢者は薬を口内に運ぶ途中で落としてしまうことがある。
【考案の開示】
【考案が解決しようとする課題】
【０００３】  シートから取り出す際、錠剤やカプセルを掌に直接載せることは、不衛生であるばかりでなく片手で取り出さねばならない不自由さがある。さらに、別の容器を準備して薬を移すには手間もかかり、外出時での服用には不向きである。従って、両手を使って確実に薬を収納する容器としての機能と、衛生的で確実に服用できる機能を一体化することにより、衛生面での安全性と室内、屋外というような場所を選ばずに服用可能な利便性が生じ、且つ、小袋であるために携帯に便利であり前述の欠点を解決しようとするものである。
【課題を解決するための手段】
【０００４】  本考案は、比較的薄い紙袋の外側に接着部分を設け、その面を身近な場所に貼付させ使用時に当該上部の口部を開けることで内部を清潔に保てるため、シートから取り出した薬を入れるのに衛生的である。また、自由に両手を使って薬をシートから取り出せるので、落下させる危険性が非常に少なくなると同時に何処でも服用可能となる。また、小袋底部傾斜角に切取り線を設けることで、薬（錠剤やカプセル等）が袋から確実に口内にふくませやすくなるだけでなく衛生面と薬の飲みやすさがあり、袋本体の性質上携帯に便利であり前述の問題点を解決している。
【考案の効果】
【０００５】  上述の様に、本考案の貼付型簡易服用携帯袋はシートから薬を衛生的に取り出すことが可能である事は勿論、接着部分を設けたことにより袋を身近な場所に容易に貼付けられ、両手が自由となり場所を選ばず薬を衛生的に取りこぼすことなく、袋に収納することが可能となる。また、袋底辺部傾斜角に切取り線を設けることで薬の出口が確保されるだけでなく、切取り口の形態が薬（錠剤やカプセル等）を口内に含ませやすく、年齢に関係なく錠剤やカプセルもスムーズに服用することが可能となる。また、携帯に便利であり特に外出先での薬の服用に役立つ。
【考案の実施するための最良の形態】
【０００６】  小袋本体の側面の接着部分を身近で適当な場所に貼付け袋を開け、内部に薬をシートから収納し口縁部を折りたたむ等して閉じ、袋本体を貼付場所から剥す。小袋内の薬を一方の底部片隅に寄せ、傾斜角に設けた切取り線に従い、袋の一部を切除することで薬の出口が作られると同時に、その切り口の形態が薬（錠剤やカプセル）を口内に含ませやすく、年齢や使用方法に関係なく確実、且つ衛生的に（錠剤やカプセル等の）服用が可能となる。
【実施例】
【０００７】  以下、添付図面に従って一実施例を説明する。１は薬包紙等適宜素材にて形成された小袋本体。袋側面の両方を軽く摘み曳くことで、１の口部が開き当該小袋をコップやボトル等適当な場所に貼るため、２の接着部分のカバーを剥がして１本体を設置する。２の働きにより１本体が固定されている為、両手が自由に使えることから服用しようとする数量を確実、且つ、衛生的に当該袋内に収納可能となる。【０００８】  確実に服用するために１を傾斜させることで薬がこぼれ落ちる事を防ぐ為、１本体の口縁部を折りたたみ閉鎖する。小袋の一方に傾斜角を付け、切取り線４を設けた三角形３を形成する。服用時に４を切取ることで薬の通り道（ルート）を確保し、年齢に関係なく容易で確実に薬を口内に含む。【０００９】  本考案は、上述の如き構成からなるものであるため、年齢に関係なく衛生的に何処でも確実に服用可能とする小袋であることは勿論、１の形質上超軽量でコンパクトであるため携帯に便利である事は言うまでもない。
【図面の簡単な説明】
【００１０】
【図１】本考案の添付型携帯用薬袋の一実施例を示す正面図である。
【符号の説明】
【００１１】  １  小袋本体
２  接着部分
３  薬ルート形成部分
４  切り取り線
【図１】
0003116415.tif 000003
(57)【要約】【課題】  所定巾の長尺薄板の表面に身長を測る測定用の目盛を設けた測定板を複数等分に分割し、各記録板を連結材を介して折り曲げ自在に構成した一枚の測定板を柱、壁等に取り付けて身長を測る折畳み式背くらべ身長測定板を提供する。【解決手段】  合成樹脂材からなる所定巾の長尺薄板の表面に身長測定用の目盛りを設けた記録板Ａを、下から表示板１、下部記録板３、中部記録板５，上部記録板７の複数枚に均等分割し、表示板１と下部記録板３を裏面から連結材２を介して表面ａ側に折曲自在に連結し、下部記録板３と中部記録板５を連結材４を介して裏面ｂ側に折曲自在に連結し、中部記録板５と上部記録板７を連結材６を介して表面ａ側に折曲自在に連結し、上端部に吊下用孔８を設けたことを特徴とする。【選択図】  図１
0003116411.tif 000002
【実用新案登録請求の範囲】
【請求項１】
合成樹脂材からなる所定巾の長尺薄板の表面に一連の高さ測定用の目盛りを設けた測定板を、表示板、下部記録板、中部記録板、上部記録板の４枚に均等分割し、表示板と下部記録板を裏面から連結材を介して表面側に折り曲げ自在に連結し、下部記録板と中部記録板を連結材を介して裏面側へ折曲自在に連結し、中部記録板と上部記録板を連結材を介して表面側へ折曲自在に連結し、上端部に吊下用孔を設けたことを特徴とする折畳み式背くらべ身長測定板。
【考案の詳細な説明】
【技術分野】
【０００１】  本考案は子供や孫のの成長を楽しみながら記録する手段の一つとして正確に記録し、然も折り畳んで自在に移動できる折畳み式背くらべ身長測定板に関するものである。
【背景技術】
【０００２】  従来、子供や孫の成長を記録する手段として定期的に身長を測定し、保存する方法は古くから各種行なわれていれが、一般的には身長測定器具を利用して測定した身長を別途設けた記録紙や記録帳に記録したり、屋内の柱に計った身長を刻んでいく方法は最も広く知られていて特定の機械や器具は提供されていないのが現況である。
【考案の開示】
【考案が解決しようとする課題】
【０００３】  しかし、身長測定器具は設置場所が必要なため各家庭に備品として置かれることは殆どなく、学校、銭湯等に設置されたものを利用していた。
又、スケール（物差し、巻尺等）を利用して身長を測り、屋内の柱にマーカーで印を付けたり、刻印を施すと、室内の美観をを損ねるばかりでなく、転居等の都合で売却の際、柱に残った記録印のため家屋の価値が下がる懸念があった。
本考案は所定巾の長尺薄板の表面に身長を測る測定用の目盛を設けた測定板を複数等分に分割し、各記録板を連結材を介して折り曲げ自在に構成した一枚の測定板を柱、壁等に着脱自在に取り付けて幼児の身長を楽しみながら測る折畳式背くらべ身長測定板を提供することを目的とする。
【課題を解決するための手段】
【０００４】  上記目的を達成するため本考案は、合成樹脂材からなる所定巾の長尺薄板の表面に身長測定用の目盛りを設けた測定板Ａを、下から表示板１、下部記録板３、中部記録板５、上部記録板７の複数枚に均等分割し、表示板１と下部記録板３を裏面から連結材２を介して表面ａ側に折曲自在に連結し、下部記録板３と中部記録板５を連結材４を介して裏面ｂ側に折曲自在に連結し、中部記録板５と上部記録板７を連結材６を介して表面ａ側に折曲自在に連結し、上端部に吊下用孔８を設けたものである。
【考案の効果】
【０００５】  上記のように構成された本考案には次のような効果がある。
ａ．折畳式なので、折り畳めば手軽に移動でき、必要な箇所に簡単に取り付けることができる。
ｂ．柱や壁に固定するものではなく、自在に移動できるのでインテリアの美観を損ねることは全くない。
ｃ．住居を移転する場合でも折り畳めば簡単に持ち運ぶことができる。
ｄ．折り畳んで容器（袋）等に入れておくことによって長期間保存しておくことができるので長い世代に亘って記録を残しておくことができる。
ｅ．簡単な構造で低廉な材料を使用し、簡単な工程で大量に製造できるので安価に提供できる。
【考案を実施するための最良の形態】
【０００６】  以下、本考案の実施の形態を図面に基づいて説明する。【０００７】  図１は本考案の正面図、図２は本考案の背面図、図３は本考案の折り曲げ状態を示し図、図４は本考案の使用状態を示した側面図で、図中の符号Ａは表面の左側に身長を測定するための目盛りを設けた測定板を示す。【０００８】  １は図１に示したように四分割された測定板Ａの最下部の表示板で、この表示板１の表面ａには身長を測定する幼児の名前や生年月日、身長、体重、幼児の両親の名前、年令等を記載し、測定する人数が複数の場合、年令、生年月日、性別等を記載するようになっている。【０００９】  ２は表示板１の上部に下部記録板３を連結するテープ状の連結材で、この連結材２を表示板１の上端と下部記録板３の下端が接する部分の表面側に取り付けたことによって表示板１が表面ａの方にのみ折れ曲がるようになっている。【００１０】  表示板１の上端に連結された下部記録板３の上端には連結材４を介して中部記録板５が連結されており、連結材４は裏面側に取り付けたことによって中部記録板５は裏面ｂの方にのみ折れ曲がるようになっている。【００１１】  中部記録板５の上端に連結材６を介して上部記録板７が連結されていて、連結材６は表面側に取り付けたことによって上部記録板７は表面ａの方にのみ折れ曲がるようになっている。
従って、各連結部分から折り曲げると表示板１の裏面と上部記録板７の裏面が表裏になった状態で四分の一に（図面においては）折り畳まれる。【００１２】  ８は吊り下げ用の孔で、使用しないとき邪魔にならない適当な場所に釘等を利用して収納しておくための孔である。【００１３】  上記のように構成された本考案を実際に使用する場合は次のようになる。
図４に示したように、折り畳んだ測定板を一枚の長尺板の状態にした後、壁又は柱に垂直状に立てかけ、測定する人（幼児）を測定板に接して立たせ、直角定規を使って測定し、測った位置にマーカーで印しを付けるかワッペン等を貼り付ける。
複数人を測定する場合は予め色分けしておくと便利である。
乳幼児のように立った状態で測定できない場合は測定板を床面に置き、その上に乳幼児を仰臥させた状態にして測定する。
【図面の簡単な説明】
【００１４】
【図１】本考案の正面図
【図２】本考案の背面図
【図３】本考案の折り曲げ状態を示した図
【図４】本発明の使用状態を示した図
【符号の説明】
【００１５】        １  表示板
２  連結材
３  下部記録板
４  連結材
５  中部記録板
６  連結材
７  上部記録板
８  吊下げ用孔
Ａ  測定板
ａ  表面
ｂ  裏面
【図１】
0003116411.tif 000003
【図２】
0003116411.tif 000004
【図３】
0003116411.tif 000005
【図４】
0003116411.tif 000006